(57)【要約】【課題】換気効率が良く施工性の良い熱交換換気装置を得る。【解決手段】給排気流を熱交換器１を通し、給排気流間で連続的な熱交換を可能にした熱交換換気装置について、本体ケーシング２の下面に室内の空気の入口端である排気吸込口１０を設け、排気吸込口１０と連絡する通風可能な化粧パネル１４を天井面に設け、排気通風路６の出口端である排気吹出口７は、本体ケーシング２の周側面の一面に設け、給気通風路４の出口端である給気吹出口９は、排気吹出口７に対向する本体ケーシング２の一側面に設け、給気通風路４の入口端である外気吸込口１２は、排気吹出口７に隣接する本体ケーシング２の一側面に設ける。【選択図】          図１
2004257587.tif 000002
【特許請求の範囲】
【請求項１】
室外の空気を室内へ取入れるための給気通風路と、室内の空気を室外へ排気するための排気通風路とを箱形に形成した本体ケーシング内に全経路にわたり相互に独立した状態に画成し、この本体ケーシングには前記排気通風路の一部と前記給気通風路の一部を、それぞれ一次通路と二次通路により形成し、その一次通路と二次通路を流れる流体間で熱交換を行う熱交換器を組込み、前記給気通風路には前記給気通風路の入口端から出口端に向かう給気流を形成する送風機を設け、前記排気通風路には前記排気通風路の入口端から出口端に向かう排気流を形成する送風機を設け、給排気流間で連続的な熱交換を可能にした熱交換換気装置であって、前記本体ケーシングの下面に室内の空気の入口端である排気吸込口を設け、この排気吸込口と連絡する通風可能な化粧パネルを天井面に設け、前記排気通風路の出口端である排気吹出口は、前記本体ケーシングの周側面の一面に設け、前記給気通風路の出口端である給気吹出口は、前記排気吹出口に対向する本体ケーシングの一側面に設け、前記給気通風路の入口端である外気吸込口は、前記排気吹出口に隣接する本体ケーシングの一側面に設けた熱交換換気装置。
【請求項２】
請求項１に記載の熱交換換気装置であって、外気吸込口を給気吹出口の一側面にも設けた熱交換換気装置。
【請求項３】
請求項１又は請求項２のいずれかに記載の熱交換換気装置であって、化粧パネルが本体ケーシングと独立した構成である熱交換換気装置。
【請求項４】
請求項１〜請求項３までのいずれかに記載の熱交換換気装置であって、給気流を形成する送風機の吹出口側を給気吹出口側と化粧パネル側とに分岐させ、前記給気吹出口と化粧パネルの双方から給気できるようにした熱交換換気装置。
【請求項５】
室外の空気を室内へ取入れるための給気通風路と、室内の空気を室外へ排気するための排気通風路とを箱形に形成した本体ケーシング内に全経路にわたり相互に独立した状態に画成し、この本体ケーシングには前記排気通風路の一部と前記給気通風路の一部を、それぞれ一次通路と二次通路により形成し、その一次通路と二次通路を流れる流体間で熱交換を行う熱交換器を組込み、前記排気通風路には前記排気通風路の入口端から出口端に向かう排気流を形成する送風機を設け、前記本体ケーシングの下面に室内の空気の入口端である排気吸込口を設け、この排気吸込口と連絡する通風可能な化粧パネルを天井面に設け、前記排気通風路の出口端である排気吹出口は、前記本体ケーシングの周側面の一面に設け、前記給気通風路の入口端である外気吸込口は、前記排気吹出口に隣接する本体ケーシングの一側面に設け、前記給気通風路の出口端は、前記外気吸込口に対向する一側面に設け、この給気通風路の出口端には、ダクトにより接続され、前記給気通風路の外気吸込口から出口端に向かう給気流を形成する送風機を持つ独立構成の吹出グリルを設け、この吹出グリルから室内へ給気するようにした熱交換換気装置。
【請求項６】
請求項５に記載の熱交換換気装置であって、本体ケーシングの給気通風路の出口端と吹出グリルとを接続するダクトに加湿器やフィルター等を組込み得る多目的ケースを介在させた熱交換換気装置。
【発明の詳細な説明】
【０００１】
【発明の属する技術分野】
本発明は、内蔵した熱交換器を通じて給排気流間で熱交換をしながら給排気による換気を行う熱交換換気装置に関するものである。
【０００２】
【従来の技術】
上記この種の熱交換換気装置は、多くが天井裏等の空間に設置され、空気対空気での熱交換を行う熱交換器が内蔵され、熱交換を行いながら同時給排気により換気を行うものであり、室内の状態量の変動の少ない換気を行うことができる（例えば、特許文献１参照）。
【０００３】
【特許文献１】
特開２０００−１６１７４３号公報
【０００４】
【発明が解決しようとする課題】
従来の熱交換換気装置は、内部に給気風路と排気風路を区画するケーシングと、ケーシングの下部に設けられ、ケーシング内を室内に通じさせるために天井面に配置される化粧パネルと、ケーシングの第１の面に開口され、それぞれ屋外へ通ずるダクトに接続される排気側吹出口及び給気側吸込口と、ケーシングの第１の面に対する第２の面に開口され、ケーシング内の給気風路及び排気風路の何れか一方に通ずる延長ダクト接続口と、この延長ダクト接続口に接続される延長ダクトと、この延長ダクトの先端に設けられ、天井面に配置される通風ユニットとを備えた構成である。
【０００５】
この熱交換換気装置においては、排気の吹出ダクトと給気の取入ダクトが近接することになり、給排気の短絡が起き易く、換気効率が低下するという問題点がある。また、本体と化粧パネルの施工において、それぞれ、吊り金具の寸法位置と天井材の開口寸法位置を寸法精度良く施工することは現実的には大変難しいことである。
【０００６】
本発明は、上記した従来の問題点を解消するためになされたもので、その課題とするところは、換気効率の良い熱交換換気装置を得ることであり、施工性の良い熱交換換気装置を得ることであり、その機能の拡充を推進することである。
【０００７】
【課題を解決するための手段】
前記課題を達成するために本発明は、室外の空気を室内へ取入れるための給気通風路と、室内の空気を室外へ排気するための排気通風路とを箱形に形成した本体ケーシング内に全経路にわたり相互に独立した状態に画成し、本体ケーシングには排気通風路の一部と給気通風路の一部を、それぞれ一次通路と二次通路により形成し、その一次通路と二次通路を流れる流体間で熱交換を行う熱交換器を組込み、給気通風路には給気通風路の入口端から出口端に向かう給気流を形成する送風機を設け、排気通風路には排気通風路の入口端から出口端に向かう排気流を形成する送風機を設け、給排気流間で連続的な熱交換を可能にした熱交換換気装置について、その本体ケーシングの下面に室内の空気の入口端である排気吸込口を設け、排気吸込口と連絡する通風可能な化粧パネルを天井面に設け、排気通風路の出口端である排気吹出口は、本体ケーシングの周側面の一面に設け、給気通風路の出口端である給気吹出口は、排気吹出口に対向する本体ケーシングの一側面に設け、給気通風路の入口端である外気吸込口は、排気吹出口に隣接する本体ケーシングの一側面に設ける手段を採用する。
【０００８】
前記課題を達成するために他の発明は、室外の空気を室内へ取入れるための給気通風路と、室内の空気を室外へ排気するための排気通風路とを箱形に形成した本体ケーシング内に全経路にわたり相互に独立した状態に画成し、本体ケーシングには排気通風路の一部と給気通風路の一部を、それぞれ一次通路と二次通路により形成し、その一次通路と二次通路を流れる流体間で熱交換を行う熱交換器を組込み、排気通風路には排気通風路の入口端から出口端に向かう排気流を形成する送風機を設け、本体ケーシングの下面に室内の空気の入口端である排気吸込口を設け、排気吸込口と連絡する通風可能な化粧パネルを天井面に設け、排気通風路の出口端である排気吹出口は、本体ケーシングの周側面の一面に設け、給気通風路の入口端である外気吸込口は、排気吹出口に隣接する本体ケーシングの一側面に設け、給気通風路の出口端は、外気吸込口に対向する一側面に設け、この給気通風路の出口端には、ダクトにより接続され、給気通風路の外気吸込口から出口端に向かう給気流を形成する送風機を持つ独立構成の吹出グリルを設け、吹出グリルから室内へ給気するようにする手段を採用する。
【０００９】
【発明の実施の形態】
実施の形態１．
図１は本実施の形態の熱交換換気装置の平面図、図２は図１のＡ矢視図、図３は図１のＢ矢視図、図４〜図６はそれぞれ設置形態を示す平面図、図７は施工例を示す側面図である。図１に示すようにこの熱交換換気装置は、空気対空気での熱交換を行う熱交換器１が六面体の箱型に構成された本体ケーシング２内に内蔵され、熱交換を行いながら同時給排気により室内の換気を行うものである。この熱交換換気装置には、経路の一部が熱交換器１の二次通路で構成され、給気送風機３により形成される室外から室内へ向う給気流を通す給気通風路４と、経路の一部が熱交換器１の一次通路で構成され、排気送風機５により形成される室内から室外へ向う排気流を通す排気通風路６とが全経路にわたり独立して画成されている。
【００１０】
熱交換器１は、本体ケーシング２の略中央部に二個が配置され、それぞれ積層型で六面体に構成されている。そして、熱交換を行う層が垂直方向に積層する状態に互いの一稜角部が突合わされるように組込まれ、本体ケーシング２の下面に設けられた点検蓋から垂直方向に抜き差しできるようになっている。これにより各熱交換器１の排気流を通す一次通路と給気流を通す二次通路は内部において斜めに交差する形態となる。
【００１１】
本体ケーシング２の熱交換器１の左右に給気送風機３と排気送風機５がそれぞれ組付けられている。排気送風機５の吸込口は熱交換器１側に向けられ、吹出口は、排気通風路６の出口端である排気吹出口７に臨まされている。排気吹出口７は、本体ケーシング２の周側面の一面に設けられ、ダクト接続可能な接続口部品８が取付けられている。給気送風機３の吸込口は熱交換器１側に向けられ、吹出口は、給気通風路４の出口端である給気吹出口９に臨まされている。給気吹出口９は、排気吹出口７に対向する本体ケーシング２の一側面に設けられ、ダクト接続可能な接続口部品８が取付けられている。
【００１２】
本体ケーシング２の下面の給気送風機３と熱交換器１の間の両側には、排気通風路６の入口端である排気吸込口１０がそれぞれ設けられ、排気吸込口１０から吸込まれた室内の空気は、各熱交換器１の一次通路を経て排気送風機５から排気吹出口７へ吹き出され、ダクト１１を通じて室外へ吹き出される。本体ケーシング２の排気送風機５の臨む一側面と、排気吹出口７に対向する一側面には給気通風路４の入口端である外気吸込口１２がそれぞれ設けられ、これらの外気吸込口１２からダクト１１を通じて吸込まれた室外の空気は、排気送風機５と本体ケーシング２の隙間を通り、各熱交換器１の二次通路に分流し、各熱交換器１を出て合流し、給気送風機３に吸込まれて給気吹出口９からダクト１１を通じて室内へ向かって吹き出される（図１及び図３参照）。
【００１３】
本体ケーシング２は、天板近くの四隅部に設けられた吊り金具１３によって天井裏空間等にアンカーボルトで吊り固定される。また、本体ケーシング２の排気吸込口１０のある下面中央部分に対応する天井面には通風可能な化粧パネル１４が取付けられ、化粧パネル１４と排気吸込口１０とが通風可能に連絡される。化粧パネル１４を開放させれば、熱交換器１の着脱ができ、熱交換器１やフィルター等のメンテナンスが可能である。
【００１４】
この熱交換換気装置は、例えば、図４〜図６に示すような設置形態を採ることができる。即ち、図４では平面方形の部屋の一隅部の天井裏空間に、外気吸込口１２を一壁面に臨ませ、この壁面に隣接する壁面に排気吹出口７を臨ませて設置される。もう一つの外気吸込口１２については閉止板１５で閉止される。開放されている外気吸込口１２には接続口部品８が取付けられ、ダクト１１を介して向かい合う壁を貫き室外に連絡される。排気吹出口７は、これに向かい合う壁を貫きダクト１１を介して室外に連絡される。給気吹出口９はダクト１１を介して部屋の他の隅部等、適所に吹出グリル１６等により室内に連絡される。排気吸込口１０は、天井面に装着された化粧パネル１４により室内に連絡される。
【００１５】
排気送風機５及び給気送風機３が運転されると、化粧パネル１４を通じて室内の空気が排気吸込口１０から吸込まれ、排気通風路６を経て排気吹出口７からダクト１１を通り室外へ排気される。これと同時にダクト１１を介して室外の空気が外気吸込口１２から吸込まれ、給気通風路４を経て給気吹出口９からダクト１１を通り室内へ給気される。この間、熱交換器１により給排気流間で連続的な熱交換が行われる。
【００１６】
このように、この熱交換換気装置は部屋の隅に設置でき、室内側天井面の意匠性が向上する。熱交換器１も垂直方向の操作で着脱できるので部屋の隅に設置してもメンテナンスは容易に行うことができる。また、給排気が異なる壁面から行われるので給排気短絡は起きず換気効率が良い。
【００１７】
図５の設置形態では、排気吹出口７と対向する一側面の外気吸込口１２が開放され、排気吹出口７に隣接する側面の外気吸込口１２が閉止されている。開放された外気吸込口１２はダクト１１を介して室外へ連絡される。この設置形態では給排気の方向を反対向きにすることができ一層給排気短絡が起きにくくなる。
【００１８】
図６の設置形態では、二方向の外気吸込口１２を共に小径のダクト１１を介してそれぞれ室外に連絡される。従って、給気のためのダクト１１が小径となり、屋外の開口部に取付けられるフード等も小型で良いため外壁の意匠性が損なわれないうえ、施工費も軽減する。このように方向の異なる外気吸込口１２を備えているため、室外に直管型のダクト１１では臨ませない壁面が有っても、何れか一方は直管型のダクト１１により室外へ臨ませることができるので設置条件は軽減し、施工も容易になる。
【００１９】
化粧パネル１４については、図７に示すように本体ケーシング２の排気吸込口１０と離して連絡させて天井面に取付けることもできる。この施工形態を採ることにより、天井材に開けたパネル取付開口１７が本体ケーシング２の吊り固定位置と多少ずれていても化粧パネル１４と本体ケーシング２とは分離しているため、化粧パネル１４を外観性よく取付けることができ、天井面の意匠性も向上する。
【００２０】
実施の形態２．
図８によって示す本実施の形態は、実施の形態１で示した熱交換換気装置の給気送風機３を本体ケーシング２から切離し独立させたものであり、給気送風機３に係る構成以外は実施の形態１のものと同じである。従って、実施の形態１のものと同じ部分については実施の形態１のものと同じ符号を用い、それらについての説明は省略する。
【００２１】
本実施の形態の熱交換換気装置においては、給気通風路４の出口端１８は、外気吸込口１２に対向する本体ケーシング２の一側面に設けられている。この給気通風路４の出口端１８には、ダクト１１により接続され、給気通風路４の外気吸込口１２から出口端１８に向かう給気流を形成する給気送風機３を持つ独立構成の吹出グリル１９が設けられ、この吹出グリル１９から室内へ給気するように構成されている。吹出グリル１９は、ダクト１１により部屋の任意の位置に配置することができる。この構成を採用することにより、熱交換換気装置の質量を分散でき、施工時の取扱いがし易くなり、施工費用も低減する。これ以外の構成及び機能は実施の形態１のものと同じである。
【００２２】
実施の形態３．
図９によって示す本実施の形態は、実施の形態２で示した熱交換換気装置に多目的ケース２０を設けたものであり、多目的ケース２０に係る構成以外は実施の形態２のものと同じである。従って、実施の形態２のものと同じ部分については実施の形態２のものと同じ符号を用い、それらについての説明は省略する。
【００２３】
本実施の形態の熱交換換気装置においては、吹出グリル１９と本体ケーシング２の給気通風路４の出口端１８との間に、加湿器や高性能エアーフィルター或いは除湿機等の空気質を改善する機器を搭載できる多目的ケース２０が介在されている。多目的ケース２０に搭載される機器により給気に係る圧力損失が変動するが、給気送風機３は本体ケーシング２側とは独立しているため自由にその能力を調整でき、換気風量を確保することができる。これにより、室内へ給気する給気流の空気質を必要に応じて改善することが可能になり、快適な換気雰囲気が得られる。これ以外の構成及び機能は実施の形態２のものと同じである。
【００２４】
実施の形態４．
図１０及び図１１によって示す本実施の形態は、実施の形態１で示した熱交換換気装置の給気吹出口９を二方向に設けたものであり、給気吹出口９に係る構成以外は実施の形態１のものと同じである。従って、実施の形態１のものと同じ部分については実施の形態１のものと同じ符号を用い、それらについての説明は省略する。
【００２５】
本実施の形態の熱交換換気装置においては、給気流を形成する給気送風機３の吹出口側が給気吹出口９側と化粧パネル１４側とに分岐されている。二つの給気吹出口９，２１は、何れか一方を閉止することもでき、双方を開放しておくこともできる。これにより、例えば、給気を空調機にそのまま供給させるようにすることもでき、換気装置として独立して機能させることもでき、適応性が備わる。これ以外の構成及び機能は実施の形態１のものと同じである。
【００２６】
【発明の効果】
本発明によれば、換気効率が良く、施工性も良い熱交換換気装置が得られる。
【００２７】
また、他の発明によれば、施工性が良く機能の拡充を推進できる熱交換換気装置が得られる。
【図面の簡単な説明】
【図１】実施の形態１の熱交換換気装置を示す平面図である。
【図２】図１におけるＡ矢視透視図である。
【図３】図１におけるＢ矢視図である。
【図４】実施の形態１の熱交換換気装置の設置形態を示す平面図である。
【図５】実施の形態１の熱交換換気装置の設置形態を示す平面図である。
【図６】実施の形態１の熱交換換気装置の設置形態を示す平面図である。
【図７】実施の形態１の熱交換換気装置の施工例を示す側面図である。
【図８】実施の形態２の熱交換換気装置を示す平面図である。
【図９】実施の形態３の熱交換換気装置を示す平面図である。
【図１０】実施の形態４の熱交換換気装置を示す側面透視図である。
【図１１】実施の形態４の熱交換換気装置を別な側面によって示す側面図である。
【符号の説明】
１  熱交換器、  ２  本体ケーシング、  ３  給気送風機、  ４  給気通風路、  ５  排気送風機、  ６  排気通風路、  ７  排気吹出口、  ９  給気吹出口、  １０  排気吸込口、  １２  外気吸込口、  １４  化粧パネル、  １８  出口端、  １９  吹出グリル、  ２０  多目的ケース、  ２１  給気吹出口。１０
【図１】
2004257587.tif 000003
【図２】
2004257587.tif 000004
【図３】
2004257587.tif 000005
【図４】
2004257587.tif 000006
【図５】
2004257587.tif 000007
【図６】
2004257587.tif 000008
【図７】
2004257587.tif 000009
【図８】
2004257587.tif 000010
【図９】
2004257587.tif 000011
【図１０】
2004257587.tif 000012
【図１１】
2004257587.tif 000013